【誤訳訂正書】
【提出日】令和2年3月19日(2020.3.19)
【誤訳訂正１】
【訂正対象書類名】明細書
【訂正対象項目名】００２２
【訂正方法】変更
【訂正の内容】
【００２２】
校合された情報は、情報項目または文書のうち特定の必須事項が欠如している場合、不完全なものと見なされる場合がある。一実施形態において、校合子114は変換された項目が予め定義された必須情報を含むかを確認するための確認モジュール114aを含む。確認モジュール114aは必須情報が欠如しているとユーザーに通知する。ユーザーはその後適切な処置を取ることができる。
【誤訳訂正２】
【訂正対象書類名】明細書
【訂正対象項目名】００２３
【訂正方法】変更
【訂正の内容】
【００２３】
一つの実施形態においては、システム100は複数のクライアントを登録し、登録が完了したら異種フォーマット情報の項目をクライアントから受け取り、一時レポジトリ106に保存するように構成された登録モジュール118を含む。同登録過程の一環として、クライアントはメールアドレスとパスワードを指定するよう要求される。登録が完了したらシステムが生成した登録確認メールがクライアントへ送られる。登録されたクライアントに関連する情報項目はクライアント識別子によりタグ付けされ、一時レポジトリ106に保存される。一つの実施形態においては、システム100は対応するクライアント識別子のタグが付いた校合された情報を校合子114から受け取り、この校合された情報を保存するように構成された常駐レポジトリ120も含む。一実施形態において、同常駐レポジトリ120は異種フォーマット情報の複数項目に対して、複数の予め定義された関心点とそれに対応する閾値を保存している。これは特定の情報種別に関する関心点の表形式で保存されている。異種フォーマット情報は予め定義された関心点を有する任意の種別の情報であってよい。保存された表は、特定の項目を認証するために同項目に存在していなければならない複数の関心点に対する閾値を含む。関心点とは、項目の変換・校合のために必須の項目内にあるべき特徴点を意味する。例えば、旅券の画像の場合、システム100は常駐レポジトリ120にある旅券画像に存在していなければならない関心点の予め定義された閾値を保存している。
【誤訳訂正３】
【訂正対象書類名】明細書
【訂正対象項目名】００２４
【訂正方法】変更
【訂正の内容】
【００２４】
一つの実施形態においては、システム100は抽出項目をクローラと抽出子110から受け取り、これらの項目内の関心点を識別する識別子とカウンター122を含む。次に識別子とカウンター122はこれらの識別された関心点をカウントし、項目に対応する関心カウントを取得する。システム100は取得された関心カウントを常駐レポジトリ120に保存されている閾値と照合し、認証された項目を取得するための認証子124も含む。認証子124は異なる関心点、例えば、旅券の写真が保存されている写真と一致するか否か、証明書の印が真正であるか否かなどについても確認する。識別子とカウンター122は受け取った旅券写真を確認し、その画像にある関心カウントを決定し、認証子124はその画像にある関心点が規定閾値を満たすか否かを判断する。画像に十分な関心点があれば、認証される。別の実施例を考察すると、クライアントが査証申請写真をシステム100へ校合のために送り、異なる国の当局が規定した査証写真規定に関わる特定のガイドラインとルールが存在している。この場合、同文書/写真の関心点は前記規定ガイドラインとルールに基づく。例えば、査証写真の場合、写真に写る人物の両耳が明瞭に見えていなければならない。よって、同文書/情報の場合の関心点には、両耳が露出していることが含まれる。写真においてその他の関心点と両耳が明確に識別された場合、写真は認証され、次の処理が可能になる。認証子124は提出された情報/文書の充足性/信憑性の確認をするように構成されている。例えば、証明書がクライアントによって提出された場合、認証子124が特定の確認を実行する。これらの確認は、種々の関心点が提出情報にあるか否か、およびこれらの関心点が真正のものであるか否かを含む。この確認には、証明書の印が真正のものであるか否か、証明書が認証者によって署名されたか否か、またクライアントの名前が証明書の名前と一致するか否かを含む。綴りミスの確認も行われる。証明書の氏名がクライアントの氏名と一致しない場合、システム100はこうした不一致を根拠づける根拠文書/情報がクライアントにより提出されているかを確認する。これらの関心点と規則は、予め設定することもできるし、ユーザーが設定することもできる。文書/情報にある識別された関心点が不十分であるか、規定に従わない場合、システム100はクライアントまたは情報提出者に文書/情報の修正を要求する。認証子124には、異種フォーマット情報項目をDNA型鑑定技術により認証するように構成されたDNA認証子124aも含む。このためにはシステム100は校合前にクライアントのDNA情報を収集し、DNA照合技術を利用して項目を認証する。
【誤訳訂正４】
【訂正対象書類名】明細書
【訂正対象項目名】００２７
【訂正方法】変更
【訂正の内容】
【００２７】
同システムは政府機関が義務付けるデータ保護法に準拠する。クライアントまたはユーザーによって特定のパージガイドラインを設定することができる、またはシステム100に予め規定として設定してもよい。これらのガイドラインはクライアントごとに異なってよい。例えば、あるクライアントは他のクライアントより少ない日数だけ情報の保存を望む場合がある。これを実現するには、一実施形態においてシステム100は、予め定義された期間が経過すると異種フォーマット情報の保存された項目を一時レポジトリ106から消去するように構成される。システム100は消去ルーチンに障害が発生したときにユーザーに通知するようにも構成される。故障原因はこれで特定され、修繕されることができ、システム100の正常な機能が確保される。
【誤訳訂正５】
【訂正対象書類名】明細書
【訂正対象項目名】００２８
【訂正方法】変更
【訂正の内容】
【００２８】
図2は、本発明の実施形態に従った異種フォーマット情報を校合し、ユーザーの望むフォーマットで表示する方法200を表す。方法200には一組のルールを保存し、ルールに基づいて一組のコマンドを生成する手順202を含む。さらに複数の項目の異種フォーマット情報を一時レポジトリに保存しここで、異種フォーマット情報の各項目がクライアント識別子でタグ付けされること204も含む。方法200はさらに、ユーザーからクライアントに対応するクライアント識別子と、希望する出力情報のフォーマット形式を受け入れる手順206を含む。クライアント識別子と希望する出力情報フォーマット形式が受け入れられると、方法200は一時レポジトリをクロールし、異種フォーマット情報項目に付いたタグを読み取り、一組のコマンドに基づいて、受け入れられたクライアント識別子のタグが付いた全項目を抽出する手順208を含む。前記抽出する手順の次に、方法200は異種フォーマット情報の抽出された項目を、受け入れられた希望する出力情報フォーマット形式に一組のコマンドに基づいて変換し、変換された項目を取得すること210を含む。クライアント識別子に対応する変換された項目を一組のコマンドに基づいて校合し、クライアント関連の校合済み情報を取得すること212も方法200に含まれ、さらに、一組のコマンドに基づいて校合された情報を表示すること214も含む。
【誤訳訂正６】
【訂正対象書類名】明細書
【訂正対象項目名】００２９
【訂正方法】変更
【訂正の内容】
【００２９】
一実施形態において、方法200は複数のクライアントを登録し、登録完了の際、一時レポジトリへ保存するためにクライアントから異種フォーマット情報の項目を受け取る手順を含む。さらに方法200は、対応するクライアント識別子のタグが付いた校合された情報および、異種フォーマット情報の複数の項目内での関心点に対する複数の予め定義された閾値を常駐レポジトリに保存することも含む。方法100は抽出項目の中から関心点を識別し、項目の中から識別された関心点を数え、項目に対応する関心カウントを取得し、常駐レポジトリにある保存された閾値を抽出項目の中から取得された関心カウントと照合して項目を認証し、保存された複数の予め定義された閾値を編集することも含む。さらに、予め定義された期間経過後に異種フォーマット情報の保存された項目を一時レポジトリから消去する手順、また変換された項目が予め定義された必須情報を含むことを確認し、必須情報がない場合にはユーザーに通知する手順も含まれる。また、方法200はDNA型鑑定技術を使用した異種フォーマット情報項目の認証も含む。
【誤訳訂正７】
【訂正対象書類名】特許請求の範囲
【訂正対象項目名】全文
【訂正方法】変更
【訂正の内容】
【特許請求の範囲】
【請求項１】
査証申請のための異種フォーマット情報の校合・表示用コンピュータ利用システム（１００）であって、前記の異種フォーマット情報はテキスト形式、画像形式、動画形式の情報を含み、前記のシステム（１００）は以下から成る：
異なる国の当局が規定した査証規定に関わる一組のルールを保存するように構成されたメモリ（１０２）
メモリと協業して前記査証規定に関わる一組のルールを受け取り、前記査証規定に関わるルールに基づいて一組のコマンドを生成するように構成されたプロセッサ（１０４）
プロセッサ（１０４）に結合され、異種フォーマット情報の複数の項目を保存するための一時レポジトリ（１０６）であって、ここに、異種フォーマット情報の各項目がクライアント識別子でタグ化されている
プロセッサ（１０４）に結合され、クライアントに対応するクライアント識別子と希望する出力情報のフォーマット形式を、ユーザーから受けるように構成された入力モジュール（１０８）
プロセッサに結合され、一組のコマンドを受け取り、入力モジュールと協業してクライアント識別子を受け取るように構成されたクローラと抽出子（１１０）であって、前記のクローラと抽出子はさらに、一時レポジトリ（１０６）をクロールし、異種フォーマット情報の項目に付いたタグを読み取り、前記クライアント識別子のタグが付いた全項目を抽出するように構成されている。
プロセッサ（１０４）に結合され、一組のコマンドを受け取り、クローラと抽出子（１１０）と協業して抽出された項目を受け取り、前記抽出された項目の中から関心点を識別するように構成された識別子とカウンター（１２２）であって、前記識別子とカウンター（１２２）はさらに、前記の項目の中から識別された関心点を数え、前記の項目に対応する関心カウントを取得するように構成されている、ここで、関心点は、項目の変換・校合のために項目内にある必須の特徴を意味する
プロセッサ（１０４）に結合され、一組のコマンドを受け取り、入力モジュールと協業して、希望する出力情報フォーマット形式を受け取るように構成された変換子（１１２）であって、前記の変換子（１１２）はさらに、クローラと抽出子（１１０）と協業して前記抽出された項目を受け取り、異種フォーマット情報の抽出された項目を、前記希望する出力情報のフォーマット形式の項目に変換し、前記の受け取った一組のコマンドに基づいて変換後の項目を取得するように構成されている。
プロセッサ（１０４）に結合され、一組のコマンドを受け取り、変換子と協業して変換された項目を受け取るように構成された校合子（１１４）であって、前記の校合子はさらに、受け取った前記一組のコマンドに基づいて、前記のクライアント識別子に対応する変換された項目を校合し、クライアント関連の校合された情報を取得するように構成され、前記校合子（１１４）は、前記変換された項目が、あらかじめ定義された必須情報を含んでいるかどうかを確認し、さらに、必須情報が欠如している場合にはユーザーに通知する確認モジュール（１１４ａ）を備えている
異種フォーマット情報の複数の項目の中から複数の予め定義された関心点と対応する閾値とを含む表を保存するように構成された常駐レポジトリ（１２０）であって、常駐レポジトリ（１２０）は、さらに、対応するクライアント識別子でタグ化された校合された情報を保存するように構成されている。
プロセッサ（１０４）と、常駐レポジトリ（１２０）と、識別子とカウンター（１２２）に結合された認証子（１２４）であって、
前記認証子（１２４）は、プロセッサ（１０４）に結合され、一組のコマンドを受け取り、クローラと抽出子（１１０）と協業して抽出された項目を受け取るように構成され、
前記認証子（１２４）は、常駐レポジトリ（１２０）に結合され、抽出された項目に対応する保存されている関心点と閾値と、校合された情報を受け取り；
前記認証子（１２４）は、識別子とカウンター（１２２）に結合され、前記の項目に対応する識別された関心点と関心カウントを受け取り、
前記認証子（１２４）は、常駐レポジトリから受け取った関心点と閾値と、識別子とカウンター（１２２）から受け取った関心点と関心カウントとを照合し、項目を認証するように構成され、
前記認証子（１２４）は異種フォーマット情報項目をDNA型鑑定技術で認証するように構成されたDNA認証子（１２４ａ）を含む。
プロセッサ（１０４）に結合され、一組のコマンドを受け取り、校合子（１１４）と協業してクライアント関連の校合された情報を受け取るように構成されたディスプレイ（１１６）であって、前記のディスプレイはさらに前記の受け取られた一組のコマンドに基づいて前記の校合された情報を表示するように構成されている。
【請求項２】
請求項1に請求されるシステム（１００）であって、ここに、前記システムは複数のクライアントを登録し、異種フォーマット情報の項目をクライアントから受け入れ、登録に成功すると一時レポジトリ（１０６）に保存するように構成された登録モジュール（１１８）から構成される
【請求項３】
請求項1に請求されるシステム（１００）であって、ここに、前記システム（１００）はクライアントに提供された情報のフォーマットを特定するように要求するように構成され、さらに、提供された情報を変換するのに適する変換ツールをインポートまたは承認するように構成されている。
【請求項４】
請求項1に請求されるシステム（１００）であって、ここに、前記システム（１００）は提供された情報を認証するように構成され、さらにクライアントが提供した情報が適合しない場合は、修正情報を提供するようクライアントに要求するように構成されている。
【請求項５】
請求項1に請求されるシステム（１００）であって、ここに、前記システム（１００）はクライアントから提供された情報が適合することを確認するように構成され、さらに適合しない情報を根拠付けるための根拠文書が、クライアントにより提供されたことを確認するように構成されている。
【請求項６】
請求項1に請求されるシステム（１００）であって、ここに、前記システム（１００）は、常駐レポジトリ（１２０）と協業して保存済みの複数の予め定義された閾値を編集するように構成されたエディター（１２６）から構成される。
【請求項７】
請求項1に請求されるシステム（１００）であって、ここに、前記システム（１００）は予め定義された期間が経過すると異種フォーマット情報の保存された項目を一時レポジトリから消去するように構成されている。
【請求項８】
査証申請のための異種フォーマット情報を校合・表示するコンピュータ利用方法であって、前記の異種フォーマット情報はテキスト形式、画像形式、動画形式の情報を含む。前記の方法は以下から構成される。
異なる国の当局が規定した査証規定に関わる一組のルールを保存し、前記のルールに基づいて一組のコマンドを生成する
さらに複数の項目の異種フォーマット情報を一時レポジトリに保存し、ここで、異種フォーマット情報の各項目がクライアント識別子でタグ化されている
ユーザーからクライアントに対応するクライアント識別子と希望する出力情報のフォーマット形式を受け取る
前記一組のコマンドに基づいて、前記一時レポジトリをクロールし、異種フォーマット情報の項目に付いたタグを読み取り、前記クライアント識別子のタグが付いた全項目を抽出し、抽出された項目を取得する
前記抽出された項目の中から関心点を識別し、前記抽出された項目の中から識別された関心点を数え、前記の項目に対応する関心カウントを取得し、ここで、関心点は、項目の変換・校合のために項目内にある必須の特徴を意味し、
前記一組のコマンドに基づいて、異種フォーマット情報の抽出された項目を前記希望する出力情報のフォーマット形式の項目に変換し、変換後の項目を取得する
前記一組のコマンドに基づいて、前記クライアント識別子に対応する変換された項目を校合し、前記クライアント関連の校合された情報を取得し、前記校合には、変換された項目があらかじめ定義された必須情報を含んでいるかどうかを確認し、さらに、必須情報が欠如している場合にはユーザーに通知することを含み、
常駐レポジトリに、対応するクライアント識別子でタグ化された校合された情報を保存し、異種フォーマット情報の複数の項目の中から予め定義された複数の関心点と対応する閾値を記載した表を保存し、
常駐レポジトリからの保存されている関心点と、閾値と、校合された情報と、
抽出された項目内の識別された関心点と関心カウントとを照合して項目を認証し、
前記の項目認証手順にはDNA型鑑定技術を使用した異種フォーマット情報の項目認証を含む
前記の一組のコマンドに基づいて、前記の校合された情報を表示する。
【請求項９】
請求項８に請求される方法であって、ここに、前記の方法は、複数クライアントの登録、クライアントから入力された異種フォーマット情報項目の承認、一時レポジトリへの保存を含む。
【請求項１０】
請求項８において請求される方法であって、ここに、前記の方法はクライアントから提供された情報のフォーマット確認、提供された情報のフォーマットが適さない場合に処理可能な形式の情報を提供するようクライアントに要求することを含む。
【請求項１１】
請求項８において請求される方法であって、ここに、前記の方法はクライアントから提供された情報のフォーマットを特定し、提供された情報を変換するために適する変換ツールをインポートまたは承認するよう要求することを含む。
【請求項１２】
請求項８において請求される方法であって、ここに、前記の方法は、提供された情報の認証、さらにクライアントから提供された情報が適さない場合には情報修正を要求することを含む。
【請求項１３】
請求項８において請求される方法であって、ここに、前記の方法はクライアントから提供された情報が適すことを確認、および、適さない情報を根拠付けるためにクライアントから根拠文書提供されたことの確認を含む。
【請求項１４】
請求項８において請求される方法であって、ここに、前記の方法は保存済み複数の予め定義された閾値の編集を含む。
【請求項１５】
請求項８において請求される方法であって、ここに、前記の方法は予め定義された期間が経過すると異種フォーマット情報の保存された項目を一時レポジトリから消去することを含む。